(57)【特許請求の範囲】
【請求項１】
可撓性を持った樹脂配管を間仕切壁内に配管する際に樹脂配管端末を支持する支持装置であって、対応する間仕切壁の内部に於ける床面に固定される固定部と、前記固定部に立設され樹脂配管端末を支持する支持部と、前記支持部の上端側の位置に形成され前記間仕切り壁の下地材に固定される取付部と、を有する樹脂配管端末の支持装置。
【請求項２】
間仕切壁内に配管する可撓性を持った樹脂配管端末を請求項１に記載した支持装置によって支持する支持方法であって、予め設定された間仕切壁の内部に於ける樹脂配管端末の設置部位の床面に前記支持装置の固定部を固定すると共に支持部で樹脂配管端末を支持しておき、その後、間仕切壁の下地材を配置し、該下地材に前記支持装置の取付部を固定することを特徴とする樹脂配管端末の支持方法。
【発明の詳細な説明】
【０００１】
【発明の属する技術分野】
本発明は、住宅を新築する場合、間仕切壁の内部に樹脂配管を行うに当たって予め所定位置に樹脂配管端末を支持する際に有利な支持装置と、支持方法とに関するものである。
【０００２】
【従来の技術】
住宅では、屋内に水道配管や温水配管、或いはガス配管が行われる。例えば、水道配管の場合、床下や外壁と内壁とで構成される壁内を通して、或いは間仕切壁内を通して、台所，風呂場，洗面所，洗濯場，便所等の目的の設置部位まで配管される。これらの配管材料は、内部を流通する物体の性質に対応させて硬質塩ビ管や銅管或いは鋼管等が選択的に採用されている。
【０００３】
工業化住宅に於ける水道配管の場合について説明する。予め設計段階で、床下或いは天井に対する分配機能を持ったヘッダーの設置位置、及びヘッダーから個々の配管位置に至る距離を設定する。この設計に基づいて、ヘッダー、及びヘッダーからの距離に対応させた長さを有し、一方の端部にヘッダーに接続される袋ナット等の部品が取り付けられると共に他方の端部に水栓を取り付ける水栓ボックスや座付水栓エルボ等の端末器具が取り付けられる複数の配管部材が製造される。
【０００４】
そして建築工事に於ける最適な時期（内壁や間仕切壁が完成する以前）にヘッダー及び配管部材を現場に搬入して配管工事が行われる。この配管工事は、予め指定された位置にヘッダーを固定し、該ヘッダーに配管部材を繋ぎ込むと共に端末器具を指定された位置に配置して支持しておくことで行われる。
【０００５】
上記水道配管として、長尺のものがコイル状に巻かれて供給され、長さの異なる複数の配管を製造する際の歩留りを向上させることが出来、且つ工場段階での取り扱いが容易な、可撓性を持ったポリエチレン管やポリブデン管等の樹脂管を利用することがある。この樹脂管では、強固な巻き癖がついているため、現場で配管を固定してゆく際に、端末器具側に強い反力が作用するため、該端末器具を支持するのが困難であるという問題がある。
【０００６】
樹脂管を用いて屋内に水道配管を行う配管工事は、大工による壁の木下地工事に先立って行われるのが一般的である。即ち、所定位置にヘッダーを設置して予め設定された部位への樹脂管による配管を行い、その後、大工による木下地を取り付ける工事が行われる。
【０００７】
例えば、上記樹脂管を外壁に沿って配置する場合、端末器具を既に構成されている外壁材に固定して支持することが可能である。しかし樹脂管を間仕切壁内に配置する場合、配管時点で未だ木下地がないため、端末器具を支持することが出来ない。このため、位置を固定し得ない樹脂管と端末器具を含んで間仕切壁内の配管工事を行うことが極めて困難になり、大工工事，配管工事の作業工程を厳密に管理して略同時に作業することが必須となり、何れ作業員も拘束することになるという問題が生じている。
【０００８】
このため、間仕切壁内配管工事を行う際に、例えば図６に示すように、床材51に釘やビスによって固定部材52を固定し、該固定部材52と梁53との間に紐54を張り渡し、この紐54に樹脂管55の端末器具としての水栓ボックス56を縛りつけて支持したり、或いは図７に示すように、床51に設けた鋼板57に適度な長さの鉄筋棒58を立設しておき、この鉄筋棒58に樹脂管55の端末器具としての水栓ボックス56を固定して支持している。このような配管工事を行うことによって、配管工事と大工工事を切り離した独立した工程を実現している。
【０００９】
【発明が解決しようとする課題】
上記図６，７に示す工事を行う場合、作業員は脚立に登ったり、床に穴を明ける等、本来の配管工事以外の作業に多くの手間が掛かるという問題や、紐で支持する場合、樹脂管に強い巻き癖の反力が作用するため、端末器具を正しい設置方向に保持することも困難であるという問題がある。
【００１０】
しかし、間仕切壁に配置される樹脂管の場合、予め設計図書に設定された位置に支持しておかないと、大工工事が終了した後の配管挿入工事がより困難になるという問題が生じるため、避けることが出来ない作業であった。
【００１１】
本発明の目的は、樹脂管の巻き癖による反力の作用に抗して端末器具を支持することが出来る樹脂配管端末の支持装置と支持方法を提供することにある。
【００１２】
【課題を解決するための手段】
上記課題を解決するために本発明に係る樹脂配管端末の支持装置は、可撓性を持った樹脂配管を間仕切壁内に配管する際に樹脂配管端末を支持する支持装置であって、対応する間仕切壁の内部に於ける床面に固定される固定部と、前記固定部に立設され樹脂配管端末を支持する支持部と、前記支持部の上端側の位置に形成され前記間仕切り壁の下地材に固定される取付部とを有して構成されるものである。
【００１３】
上記支持装置では、固定部を床面に固定したとき、該固定部に立設した支持部が床面から直立するため、この支持部に樹脂配管端末を支持することで、周囲に樹脂配管端末を固定し得る材がなくとも支持することが出来る。このため、間仕切壁の工事に先立って、樹脂配管端末を目的の設置位置に支持しておくことが出来る。
【００１４】
特に、固定部の寸法を間仕切壁の厚さ等の寸法に対応させて形成し、支持部に於ける樹脂配管端末の取付高さを目的の水栓の取付高さと等しくしく形成することで、大工工事が終了した後、水栓又はアングル止水栓の取付工事等を行う場合の作業を容易に行うことが出来る。
【００１５】
更に、支持装置に於ける支持部の強度をことさら高くする必要はなく、間仕切壁の木下地が形成された後、支持部の上端側の位置に形成された取付部を木下地に固定することによって、強固に付いた巻き癖による反力が支持装置に作用した場合であっても、この反力を間仕切壁の木下地と共に支持することが出来る。
【００１６】
また樹脂管端末の支持方法は、間仕切壁内に配管する可撓性を持った樹脂配管端末を上記支持装置によって支持する支持方法であって、予め設定された間仕切壁の内部に於ける樹脂配管端末の設置部位の床面に前記支持装置の固定部を固定すると共に支持部で樹脂配管端末を支持しておき、その後、間仕切壁の下地材を配置し、該下地材に前記支持装置の取付部を固定することを特徴とするものである。
【００１７】
上記支持方法では、予め設計図書に示された間仕切壁の所定の位置の床面に支持装置の固定部を固定すると共に支持部に樹脂配管端末を支持しておき、その後、間仕切壁を構成することによって、配管工事と大工工事を分離して行うことが出来、且つ夫々の工事を行う際に、互いに邪魔することがない。このため、各工事を円滑に進行させることが出来る。
【００１８】
【発明の実施の形態】
以下、本発明に係る支持装置と支持方法の好ましい実施形態について説明する。本発明に係る支持装置は、固定部と支持部及び支持部とからなり、固定部を予め設定された設置位置に於ける床面に固定すると共に、支持部に樹脂配管端末を取り付けて支持し、更に、取付部を下地材に固定するようにしたものである。このように、支持装置によって樹脂配管端末を支持することによって、間仕切壁の内部に配管するような場合、樹脂配管と、該樹脂配管の端末を予め設定された位置に固定しておくことが可能である。
【００１９】
本発明に於ける可撓性を持った樹脂配管としては、製造段階で長尺状の樹脂配管がコイル状に巻き付けられて保管され、搬送されることで強固な巻き癖が付いたものが上げられる。このような樹脂配管では、巻き戻したときに巻き方向へ復帰する力（反力）が発生する。このため、現場で配管を固定したとき、端末側を支持しておくことが必要となる。そして端末側を支持する支持装置には巻き癖に基づく強い反力が作用することになる。
【００２０】
可撓性を持った樹脂配管として、材料や寸法を限定するものではなく、強固な巻き癖を持った樹脂製の管を利用する配管であれば適用することが可能である。このような樹脂配管としてポリエチレン管やポリブデン管等がある。従って、樹脂配管の内部を通す物体も限定するものではなく、水道や温水等の液体、或いは都市ガス空気に代表される気体、更には電線や電話線等の固体であっても良い。
【００２１】
しかし、住宅を対象としたとき、水道或いは温水等の液体であるのが一般的である。このため、以下の説明では、樹脂配管は水道を通す機能を有するものとし、これに応じて、端末器具として公知の樹脂配管用水栓ボックスや樹脂配管用座付エルボを含むものとする。
【００２２】
固定部の寸法や支持部の寸法は、特に限定するものではなく、間仕切壁の内部に配置されたとき、該間仕切壁の内部寸法に悪影響を与えることのない寸法であれば良い。即ち、間仕切壁を構成する下地材の一部に追加工が必要となる寸法であることは好ましくはない。
【００２３】
支持部の高さも特に限定するものではなく、樹脂配管端末を予め設定された設置高さに支持し得る寸法を有することが好ましい。支持部がこのような高さを有することによって、該支持部に樹脂配管端末を取り付けたとき、そのままの状態でこの樹脂配管端末に水栓又はアングル止水栓を取り付けることで、最終的な配管工事を行うことが可能である。
【００２４】
支持装置の強度は、強固な巻き癖が付いた樹脂配管の反力に充分に耐え得る程度であることが好ましい。このような強度を有することで、支持部に樹脂配管端末を取り付けた場合であっても、このとき作用する反力に耐えて自立することが可能となる。
【００２５】
本発明に係る支持方法は、予め設定された間仕切壁の内部に於ける位置に支持装置を固定して樹脂配管端末を支持し、その後、間仕切壁を構成するものである。このような支持方法では、大工工事は樹脂配管、樹脂配管端末の位置及び向きを考慮することなく進めることが可能であり、配管工は大工による間仕切工事に立ち会うことなく、円滑に工程を進行させることが可能である。
【００２６】
次に、支持装置の実施例について図により説明する。図１は第１実施例に係る支持装置の構成を説明する図である。図２は第２実施例に係る支持装置の構成を説明する図である。
【００２７】
図１に示す支持装置Ａは、下端部に固定部１が形成されると共に該固定部１から支持部２が立設され、該支持部２の上方には取付部３が一体的に形成されている。本実施例に於いて、支持装置Ａを構成する固定部１，支持部２は１枚の鋼板を折り曲げることで一体的に形成されており、取付部３は支持部２の上端部分にスポット溶接等の手段で取り付けられている。
【００２８】
固定部１は、支持装置Ａを床面に固定する機能を有するものであり、略中央に凹状の切欠部１ａが形成され、該切欠部１ａの両側に形成された片に釘やビス等の固定具４（図５参照）を貫通させる孔１ｂが形成されている。切欠部１ａは、支持すべき樹脂配管が床面の下側に配管されているとき、床面を貫通した配管を通過させる機能を有するものである。
【００２９】
支持部２は、樹脂配管の末端部に取り付けた公知の端末器具、例えば座付エルボ５（図３参照）や水栓ボックス６（図５参照）を取り付けて支持する機能を有するものである。支持部２に於ける予め設定された位置には、前記端末器具を取り付けるためのナット２ａが溶接等の手段によって固定されている。
【００３０】
支持部２に於けるナット２ａの取付位置は、支持装置Ａによって支持すべき樹脂配管端末に対応して予め設定されている。即ち、支持装置Ａによって支持する樹脂配管端末は、予め台所，風呂場或いは他の箇所として指定されるため、指定された部位に対応して高さが設定されるため、この設定高さに応じてナット２ａの取付位置を設定することが可能である。
【００３１】
取付部３は、支持装置Ａを間仕切壁の下地材に接続する機能を有するものであり、支持装置Ａを床面に固定したとき、固定部１からの距離が間仕切壁の下地材を構成する桟の高さと等しくなる位置に設けられている。
【００３２】
取付部３は、帯状の鋼板を折曲成形して、支持部２に対する取付片３ａと、下地材に対する固定片３ｂとを有するクランク状片を形成し、２個のクランク状片の取付片３ａを夫々支持部２の幅方向の両側に溶接することで、一体的に構成されている。また固定片３ｂには釘やビス等の固定具を貫通させる孔３ｃが形成されている。
【００３３】
取付部３が２個のクランク状片を支持部２の幅方向の両側に溶接して構成されることで、これらのクランク状片の間に凹部３ｄが形成される。この凹部３ｄは樹脂配管が天井に配管されているとき、この樹脂配管を通過させる機能を有するものである。
【００３４】
上記の如く構成された支持装置Ａは、支持部２に於けるナット２ａが取付部３よりも下方に配置されており、水栓を取り付ける目的の部位に於ける樹脂配管端末の高さが比較的に低い場合に有利なように構成されている。
【００３５】
図２に示す支持装置Ｂは水栓を取り付ける部位に於ける樹脂配管端末の高さが比較的高い場合に適用されるものであり、取付部３は支持部２の上端よりも下方に設けられている。また樹脂配管端末を取り付けるナット２ａは、支持部２の取付部３よりも上方に設けられている。
【００３６】
上記の如く構成された支持装置Ａ，Ｂでは、固定部１を床面に固定したとき、支持部２は自立する。このため、支持部２のナット２ａに樹脂配管端末を取り付けた場合、樹脂配管の強い巻き癖による反力が支持装置Ａ，Ｂに作用しても、この反力に耐えて、樹脂配管端末を支持することが可能である。
【００３７】
尚、支持装置に於ける固定部１と支持部２は前述の各実施例に示すように、１枚の帯板を折曲成形して構成することに限定するものではなく、例えば図５に示すように、固定部１と支持部２を夫々寸法の異なる鋼板によって形成し、両者を溶接して一体化しても良く、また溶接によることなく、ボルト等を利用して一体化させても良い。
【００３８】
次に、支持方法について図３〜図５を用いて説明する。図３は支持方法を説明する断面図である。図４は間仕切壁の下地材を説明する図である。図５は床下から床面を貫通して配管された樹脂配管を支持する構造を説明する図である。
【００３９】
住宅では、各階毎の間取りを設計する段階で、全ての水栓の配置と機能が設定され、同時に間仕切壁に於ける樹脂配管端末の設置位置及び設置高さが設定される。これに伴って、間仕切壁に配置される樹脂配管端末を支持する支持装置の高さが設定される。即ち、間仕切壁に配置される樹脂配管端末毎に、利用すべき支持装置Ａ，Ｂが選択される。
【００４０】
屋内の配管工事を行う場合、天井又は床下に於ける予め設定された位置に図示しないヘッダーが設置され、該ヘッダーに目的の設置部位までの距離に対応して製造された可撓性を持った樹脂配管の一方の端部が接続され、該樹脂配管の端末器具を取り付けた他方の端部が目的の設置位置の近傍に配管される。
【００４１】
図３に示すように、間仕切壁の内部に設定された所定位置では、選択された支持装置（例えば支持装置Ａ）が、固定具４ａによって固定部１を床パネル11に固定することで固定される。また支持装置Ａの支持部２に樹脂配管端末となる座付エルボ５が取り付けられて支持される。
【００４２】
上記状態で、樹脂配管の強固な巻き癖によって作用する反力は支持装置Ａに支持され、且つ支持装置Ａは充分に自立性を維持する。特に、前記支持装置Ａの固定部１，固定具４ａは、床パネル11の上部に施工された床モルタル12によって被覆されている。
【００４３】
床モルタル12の上部に間仕切壁の下地材となる下地パネル13が対向して配置されると共に、間仕切壁の延長方向に連続して取り付けられている。この下地パネル13は、図４に示すように、一対の縦桟13ａと複数の横桟13ｂとからなるパネルであって、間仕切の内壁に沿って取り付けられる。そして室内側の面に石膏ボード及び仕上材が施工されることで、間仕切壁が構成される。
【００４４】
支持装置Ａの取付部３は、間仕切壁に沿って配置された下地パネル13の対向する横桟13ｂに固定され、これにより、支持装置Ａは下端側の固定部１が床パネル11に、上端側の取付部３が固定具４ｂによって下地パネル13の横桟13ｂに夫々固定され、高い強度と安定性を発揮し得るように構成されている。
【００４５】
上記支持方法では、屋内の配管工事が終了した段階で樹脂配管の自由端である樹脂配管端末は自立した支持装置Ａによって支持されており、間仕切壁を構成する大工工事を進行させるのに邪魔になることがない。従って、配管工事と大工工事と切り離して進めることが可能となり、配管作業と大工作業とが重複して互いに支障をきたすことがない。
【００４６】
上記支持方法では、樹脂配管は天井から下降して配管され、支持装置Ａの取付部３に形成した凹部３ｄを通って座付エルボ５が支持部２に固定されている。しかし、配管経路は天井から下降させる経路にのみ限定するものではなく、図５に示すように、床下から配管するような経路であっても良い。
【００４７】
この場合、ヘッダーは床下に設置され、樹脂配管の一方側の端部がヘッダーに接続されると共に他方側の端部が、床パネル11に於ける予め設定された水栓の設置位置に応じて形成された孔を通して床上に延長され、該位置に設けた支持装置Ａの支持部２に支持される。
【００４８】
このように本発明に係る支持装置及び支持方法では、ヘッダーから目的の水栓の設置位置までの間の樹脂配管を、天井を経由させるか床下を経由させるか、を問うものではなく、要するに、目的の水栓の設置位置まで配管された樹脂配管を安定した状態、即ち、大工工事に支障を与えることのない状態で支持することを実現したものである。
【００４９】
【発明の効果】
以上詳細に説明したように本発明に係る支持装置では、固定部を床面に固定すると共に支持部に樹脂配管端末を取り付けることで支持することが出来る。このように支持装置は床面から自立するため、間仕切壁の工事に先立って樹脂配管端末を目的の設置位置に支持しておくことが出来る。
【００５０】
特に、支持装置に樹脂配管端末を固定して支持するため、樹脂配管の巻き癖による力が作用している場合であっても、該力に抗して樹脂配管端末の取付方向を維持することが出来る。このため、間仕切壁を構成する際の大工工事に悪影響を与えることがなく、且つ間仕切壁に対する大工工事が終了した後、改めて配管工事を行う場合でも、水栓の取付位置や取付方向の手直しが不要となる。
【００５１】
また本発明に係る支持方法では、予め設定された間仕切壁に於ける位置の床面に支持装置の固定部を固定すると共に支持部に樹脂配管端末を支持しておき、その後、間仕切壁を構成することによって、配管工事と大工工事を分離して行うことが出来、且つ夫々の工事を行う際に、互いに邪魔することがない。このため、各工事を円滑に進行させることが出来る。
【図面の簡単な説明】
【図１】  第１実施例に係る支持装置の構成を説明する図である。
【図２】  第２実施例に係る支持装置の構成を説明する図である。
【図３】  支持方法を説明する断面図である。
【図４】  間仕切壁の下地材を説明する図である。
【図５】  床下から床面を貫通して配管された樹脂配管を支持する構造を説明する図である。
【図６】  樹脂配管端末を支持する従来構造の例を示す図である。
【図７】  樹脂配管端末を支持する従来構造の例を示す図である。
【符号の説明】
Ａ，Ｂ                      支持装置
１                          固定部
１ａ                        切欠部
１ｂ                        孔
２                          支持部
２ａ                        ナット
３                          取付部
３ａ                        取付片
３ｂ                        固定片
３ｃ                        孔
３ｄ                        凹部
４ａ，４ｂ                  固定具
５                          座付エルボ
６                          水栓ボックス
11                          床パネル
12                          床モルタル
13                          下地パネル
13ａ                        縦桟
13ｂ                        横桟
【図１】
0004229620.tif 000002
【図２】
0004229620.tif 000003
【図３】
0004229620.tif 000004
【図４】
0004229620.tif 000005
【図５】
0004229620.tif 000006
【図６】
0004229620.tif 000007
【図７】
0004229620.tif 000008